(57)【特許請求の範囲】
【請求項１】
両端には固定面が設けられており、
中央部分には雪止め面が設けられている略帯状の雪止め具であり、
両端の固定面が芯木または吊り子に取り付けられる雪止め具。
【発明の詳細な説明】
【０００１】
【発明の属する技術分野】
本発明は、縦葺き屋根における雪止め具に関するものである。
【０００２】
【従来の技術】
本瓦棒葺き屋根等の縦葺き屋根における雪止め具について図１３と図１４に基づいて説明する。いずれの図も本瓦棒葺き屋根を例として取り上げている。
【０００３】
まず図１３について説明する。この雪止め具１は、一般に富士型雪止め金具と称されているものである。
富士型の雪止め面１１に柄部１３が取り付けられており、柄部１３の棟側部分には谷瓦２の棟側立面部２１を跨ぐ凸部１４が形成され、さらに延出して固定面１２が形成されている。
この雪止め具１を、凸部１４が棟側立面部２１を跨ぐように谷瓦２上に置き、谷瓦２外に延出した固定面１２を止着具Ｓにて野地材Ｃに固定する。
その上から上の段のバックアップ材Ｂと谷瓦２とを取り付けていく。こうして順次施工して、その後山瓦３を取り付けるのである。
【０００４】
別の従来の技術について、図１４から説明する。この雪止め具１はアングル１５と短尺アングル１６とを組み合わせたものである。
まず、山瓦３上にアングル固定金具１７を配置し、該アングル固定金具１７にアングル１５を固定することで、山瓦３上にアングル１５を掛け渡す。
山瓦３・谷瓦２の大きさが比較的小さな物件の場合、山瓦３にアングル１５を掛け渡すだけで雪止め具としての機能を果たすが、山瓦３・谷瓦２の大きさが、比較的大きな物件の場合は、アングル１５と谷瓦２の間の隙間が空きすぎてしまい、雪がその隙間から滑り落ちてしまう。
これを防ぐために短尺アングル１６を配置するが、適宜の長さに切断してある短尺アングル１６を前記アングル１５にスポット溶接や止着具にて固定し、アングル１５と谷瓦２との間の隙間に短尺アングル１６が突き出るように形成する。短尺アングル１６が谷瓦２に接触すると、短尺アングル１６の角等で谷瓦２に傷が付いてしまうので、短尺アングル１６を谷瓦２に接触しないようやや浮かせて設置する。
こうしてアングル１５と谷瓦２との間の隙間を雪が滑り抜けてしまうのを防いでいる。
【０００５】
【発明が解決しようとする課題】
図１３に示した富士型の雪止め具１は、柄部１３が雪止め面１１のほぼ中央から棟側へ伸びている。この雪止め面１１に雪の重みがかかったとき、雪止め面１１の左右に均等にかかるわけではないため、より多くの雪の荷重がかかった方に雪止め面１１が傾き、他方が持ち上がってしまう。
このため、雪止め具１がねじれてしまうことがある。ひどい場合は、重い荷重がかかった方の雪止め面１１が屋根面に強く押しつけられるため、屋根面に傷が付いたり、ときには屋根面に穴をあけてしまったりすることもある。
【０００６】
また、この雪止め具１を用いる場合、屋根を施工しながら取り付けていかなくてはならない。施工後の屋根に取り付けたいと思っても、大がかりな仕方で瓦をはがしたりしなくてはならず、実際的な方法ではない。このように、施工後の屋根に取り付けることができないという問題がある。
【０００７】
一方、図１４に示したアングル１５と短尺アングル１６を組み合わせた雪止め具１の場合、屋根を施工した後に雪止め具１を取り付けたいということになったとき、山瓦３上にアングル固定金具１７を取り付け、そこに雪止め具１を設置していくことができるという利点がある。
その反面、雪止め具１を施工するための部品点数が多いので、コストが高くなり、また、施工に手間もかかるという問題がある。
そして、仕上がった外観は、屋根上に目立つ形でアングルが掛け渡されているので、屋根の意匠性を著しく損なうものである。
【０００８】
本発明に係る雪止め具は、これらの問題を解決するために成されたものである。
【０００９】
【課題を解決するための手段】
両端には固定面が設けられており、中央部分には雪止め面が設けられている
略帯状の雪止め具を用い、両端の固定面を芯木または吊り子に取り付けることで課題を解
決する。
【００１０】
【発明の実施の形態】
縦葺き屋根の芯木や吊り子に略帯状の雪止め具を取り付ける。芯木は木製のものもあれば、金属製のものもある。
帯状の雪止め具の両端に固定面を設け、中央部分に雪止め面を設け、両端の固定面を芯木や吊り子に取り付けることで、雪止め具を芯木（あるいは吊り子）間に掛け渡して、谷瓦（あるいは溝板）の上に雪止め面が位置するように取り付ける。
雪止め面と谷瓦（あるいは溝板）との間に隙間が生じるように、雪止め面を浮かせて設置することで、雨水や雪解け水が軒側に流れやすくなる。
【００１１】
【実施例】
本発明の様々な実施例について説明していくが、雪の荷重に対する雪止め具や芯木（あるいは吊り子）の強度は、状況に応じるよう板の厚さや材質等を検討して、対応できる強度に設計していくことができる。
まず、第一実施例について図１〜図４に基づいて説明する。図１は雪止め具１の斜視図、図２は雪止め具１の説明図、図３および図４は雪止め具１を取り付ける様子の説明図である。
これらの図は、木製の芯木Ａを用いている本瓦棒葺き屋根に施工する場合を例に挙げて説明している。この芯木Ａは、角形や半丸形の木材を組み合わせて形成されるが、これらの組み合わせ方法は、物件によって異なる。ここでは、角形木材を組み合わせた上に半丸形の木材を載せて形成された芯木Ａを一例として図示する。
【００１２】
この実施例の雪止め具１は、図１に見られる様に、単純な帯状であり、雪止め面１１と固定面１２を有している。
これを形成するために平板を用いる場合、図２のように、所定の寸法の平板を幅方向中央から２つ折りにして形成する。この左右端が固定面１２となる。図示しないが、平板の長さを２倍にし、半分の長さに折り曲げても良いし、同様に、長さ方向か幅方向に３倍の平板を用いてそれを折り曲げて形成する等、必要強度に合わせて作成できる。
この雪止め具１を施工する場合、図３に示したように、所定の位置に雪止め具１を配置して、木製の芯木Ａに左右の固定面１２を釘等の止着具Ｓにて固定する。
このとき、雪止め面１１と谷瓦２の間に隙間を設けるように雪止め具１を取り付けるならば、その隙間を雨水が流れ、また、雪止め具１が谷瓦２に接触して傷を付けることを回避できる。
その後、山瓦３を取り付けていき、図４の様に本瓦棒葺き屋根を完成させていく。
【００１３】
施工後の屋根に本実施例の雪止め具１を取り付ける場合は、取り付けたい箇所の山瓦３と谷瓦２のハゼ組みをはずして、山瓦３を持ち上げることで芯木Ａをむき出し、そこに雪止め具１の固定面１２を止着すればよい。
【００１４】
この第一実施例を用いると、雪止め具１は端材を利用して作成することができるので、安価に提供することができる。現場にある端材を利用して作成することさえできるものである。
また、部品点数がきわめて少なく、施工も簡単なので、少ない工程で作業を進めることができ、早期の仕上げに貢献するものである。
加えて、屋根上のどの位置に取り付けるかを任意に設定することができ、意匠性に合わせて、同一直線上に取り付けることも、異なる段の谷瓦上に設置することも可能である。
従来の技術である図１３に示した富士型の雪止め具１は、雪止め面１１に雪の重みがかかったとき、雪止め面１１の左右に均等にかかるわけではないため、より多くの雪の荷重がかかった方に雪止め面１１が傾き、他方が持ち上がってしまい、雪止め具１がねじれてしまったりしていた。ひどい場合は、重い荷重がかかった方の雪止め面１１が屋根面に強く押しつけられるため、屋根面に傷が付いたり、ときには屋根面に穴をあけてしまったりすることもあった。これに対し、略帯状の雪止め具１の両端を芯木に固定し、中央部分に雪止め面を形成することにより、雪の荷重によって雪止め具１が変形して屋根に害をもたらすということを回避できる。
さらに、従来の技術の長尺のアングル１５を使用するものに比べて、本実施例の雪止め具１は、谷瓦２の段差面に沿って見えるので、屋根の意匠性を損ないにくいものである。その上、施工後の屋根に後から取り付けることもでき、長尺のアングル１５よりも軽量であるという利点もある。
【００１５】
上記第一実施例は、現場で端材を使ってでも作成できるものであるが、これを予め工場等で作り置きしておくこともできる。それを示しているのが図５である。  本瓦棒葺き屋根の大きさに合わせて寸法や折り曲げ角度等を決定し、それに基づき雪止め具１の固定面１２・雪止め面１１を形成する。
この雪止め具１を現場に運んで施工するならば、誰が取り付けても同じように設置することができ、また、仕上がりもきれいなものを提供できる。
【００１６】
これまでは、木製芯木を用いた本瓦棒葺き屋根を例として雪止め具の実施例を示してきたが、本発明にかかる雪止め具は、金属製の芯木を用いた縦葺き屋根にも用いることができる。
つまり、図１及び図５に示した実施例は、取り付け方に設計変更を加えることで、金属製の芯木Ａを用いた様々な縦葺き屋根に用いることができるのである。そのいくつかの実施例を図６から図１２に基づいて説明する。
【００１７】
まず、図６・図７について説明する。
この芯木Ａは、固定部材Ａ１と側面板Ａ２と天面板Ａ３とを組み合わせている。
固定部材Ａ１は所定の間隔で配置されるが、底面部Ａ１１から立面部Ａ１２が立ち上がっており、その両側には側面板支持部Ａ１３が形成されている。上部には天面板支持部Ａ１４が形成されており、前記底面部Ａ１１を野地材等に固定する。
この固定部材Ａ１の側面板支持部Ａ１３に側面板Ａ２が固定され、天面板支持部Ａ１４に天面板Ａ３が固定される。
この実施例の天面板Ａ３は上方に凸の湾曲した形状で、左右は鍔状に膨出している。この形状によって、後に被せる山瓦３を内側から支持することができる。これらの部材を組み合わせることで芯木Ａを所定の位置に設置し、順次、芯木Ａ間に谷瓦２を取り付け、芯木Ａ上に山瓦３を取り付けていく。
その際、雪止め具１を取り付ける位置で、天面板Ａ３に雪止め具１の固定面１２をリベット等の止着具Ｓにて止める。そして、その上から山瓦３を被せ、こうして、順次屋根を葺いていくのである。
【００１８】
図８・図９に示した芯木Ａ及び屋根は、前述の図６・図７に示したものとほとんど同様であるが、天面板Ａ３の形状が異なる。
図８に示した天面板Ａ３は、左右の側面がほぼ垂下しており、鍔状に膨出している部分がない。このような芯木Ａを使う場合、鍔状の取り付け用金具Ａ３１を、雪止め具１を取り付ける位置に止着し、この取り付け用金具Ａ３１に雪止め具１を取り付ける。
【００１９】
図１０は、図５に示した雪止め具１を、取り付け用金具Ａ３１を用いずに、図９の芯木Ａに固定するために、設計変更を加えたものである。
天面板Ａ３の略垂下している側面に、雪止め具１の固定面１２を取り付けた後、山瓦３を被せたとき、山瓦３同士の継ぎ目から雪止め具１が出るように、予め固定面１２を段差を設けて折曲形成させている。
図１１も同様であるが、雪止め具１の固定面１２を固定する位置が、天面板Ａ３の略垂下している側面ではなく、側面板Ａ２に固定している。設置が問題なく行えるように、固定面１２の一部を切り欠いてから斜めに折曲している。固定のための折曲角度や切り欠き面積等は、物件に合わせて設計していくことができる。
このように、様々な形状の芯木Ａが存在するが、状況に応じた設計変更をしていくことで、本発明にかかる雪止め具を取り付けることができるのである。
【００２０】
図１２に示した縦葺き屋根は、上方が開口した略コの字形の通し吊り子を用いており、この吊り子Ｔで溝板４を固定し、キャップ５を吊り子Ｔに冠着させるものである。これらの図は、同じ縦葺き屋根に異なる方法で本発明にかかる雪止め具を用いることができることを示す図である。
図示したように、雪止め具１の固定面１２を、吊り子Ｔの側面に止着具Ｓにて固定している。
このように、設計変更を加えていくことで各種の実施例を生み出すことができる。
【００２１】
【発明の効果】
本発明にかかる雪止め具は、これまで説明したとおり、種々の実施例が考えられる略帯状の雪止め具である。
この雪止め具は、端材を利用して作成することができるので、安価に提供することができ、現場にある端材を利用して作成することさえできるものである。
また、部品点数がきわめて少なく、施工も簡単なので、少ない工程で作業を進めることができ、早期の仕上げに貢献するものである。
【００２２】
従来の技術である図１３に示した富士型の雪止め具１は、雪止め面１１に雪の重みがかかったとき、雪止め面１１の左右に均等にかかるわけではないため、より多くの雪の荷重がかかった方に雪止め面１１が傾き、他方が持ち上がってしまい、雪止め具１がねじれてしまったりしていた。ひどい場合は、重い荷重がかかった方の雪止め面１１が屋根面に強く押しつけられるため、屋根面に傷が付いたり、ときには屋根面に穴をあけてしまったりすることもあった。
これに対し、本発明にかかる雪止め具は、略帯状であり、左右両端の固定面を芯木に固定して雪止め面で雪を止める構成であり、構成そのものが従来の雪止め具と異なっている。
このため、富士型の雪止め具で生じていた、雪の荷重によって雪止め面が傾いたり、他方が持ち上がってねじれてしまったりするという変形がないので、そのような変形による屋根への害を回避できる利点もある。
【００２３】
また、本発明にかかる雪止め具は、屋根上のどの位置に取り付けるかを任意に設定することができ、意匠性に合わせて、同一直線上に取り付けることも、段の異なる谷瓦上に取り付けることも可能である。
さらに、従来の技術の長尺のアングル１５を芯木（あるいは吊り子）に掛け渡して使用するものに比べて、本発明にかかる雪止め具は、屋根の意匠性を損ないにくいものである。特に本瓦棒葺き屋根に用いた場合は、雪止め具が谷瓦の段差面に沿って見え、意匠性の良いものである。
加えて、施工後の屋根に後から取り付けることもできるという利点もある。
【図面の簡単な説明】
【図１】本発明第一実施例の斜視図である。
【図２】本発明第一実施例の説明図である。
【図３】本発明第一実施例の雪止め具を取り付ける様子の説明図である。
【図４】本発明第一実施例の雪止め具を取り付ける様子の説明図である。
【図５】図１の雪止め具を作り置きしておく場合の一実施例である。
【図６】本発明の他の実施例の説明図である。
【図７】本発明の他の実施例の説明図である。
【図８】本発明の他の実施例の説明図である。
【図９】本発明の他の実施例の説明図である。
【図１０】本発明の他の実施例の説明図である。
【図１１】本発明の他の実施例の説明図である。
【図１２】本発明の他の実施例の説明図である。
【図１３】従来の技術の説明図である。
【図１４】従来の技術の説明図である。
【符号の説明】
１    雪止め具
１１  雪止め面
１２  固定面
１３  柄部
１４  凸部
１５  アングル
１６  短尺アングル
１７  アングル固定金具
２    谷瓦
２１  棟側立面部
２２  はぜ部
３    山瓦
４    溝板
５    キャップ
Ａ    芯木
Ａ１  固定部材
Ａ１１底面部
Ａ１２立面部
Ａ１３側面板支持部
Ａ１４天面板支持部
Ａ２  側面板
Ａ３  天面板
Ｂ    バックアップ材
Ｃ    野地材
Ｓ    止着具
Ｔ    吊り子
【図１】
0003619436.tif 000002
【図２】
0003619436.tif 000003
【図３】
0003619436.tif 000004
【図４】
0003619436.tif 000005
【図５】
0003619436.tif 000006
【図６】
0003619436.tif 000007
【図７】
0003619436.tif 000008
【図８】
0003619436.tif 000009
【図９】
0003619436.tif 000010
【図１０】
0003619436.tif 000011
【図１１】
0003619436.tif 000012
【図１２】
0003619436.tif 000013
【図１３】
0003619436.tif 000014
【図１４】
0003619436.tif 000015